(57)【要約】【課題】簡単な構成及び調整で映像信号処理部ブロックの各種の調整、補正の信号処理に起因したホワイトバランスのずれを防止して画面表示性能を向上する。【解決手段】映像信号処理部ブロック３のカラーマトリックス回路部１２の後段に設けたパネル信号処理部１３の信号処理の特性を調整して表示画像の３原色信号のホワイトバランスを粗調整し、その後、映像信号処理部ブロック３の終段に設けたガンマ補正回路部１５において、画面の明るさに対する影響が少ない赤、青の２原色信号のガンマ補正特性を、映像信号処理部ブロック３の各種の信号処理に基づくホワイトバランスのずれを修正するように微調整した特性に設定し、前記粗調整と前記微調整とが施された表示画像の３原色信号により、ディスプレイ装置１７を表示駆動してホワイトバランスのずれを防止する。【選択図】図１
2008211296.tif 000002
【特許請求の範囲】
【請求項１】
液晶表示パネル、プラズマ表示パネル等の薄型表示パネルのディスプレイ装置を備えたテレビジョン受信機において、映像信号処理部ブロックに設けられ、表示画像の３原色信号を出力するカラーマトリックス回路部と、前記カラーマトリックス回路部の後段に設けられ、基準補正特性のガンマ補正でホワイトバランスがとれるようにホワイトバランスに関連する振幅調整、直流レベル調整等の信号レベル調整の特性が設定され、入力された３原色信号に設定された前記信号レベル調整を施すパネル信号処理部と、前記映像信号処理ブロックの終段に設けられ、入力された３原色信号のうちの緑の原色信号のガンマ補正特性が緑の前記基準補正特性に設定され、残りの赤、青の２原色信号のガンマ補正特性が前記信号レベル調整の特性設定を含む前記映像信号処理部ブロックの各種の信号処理特性の設定に伴うホワイトバランスのずれを修正するように赤、青それぞれの前記基準補正特性から微調整した補正特性に設定され、入力された３原色信号をそれぞれの設定されたガンマ補正特性でガンマ補正するガンマ補正回路部とを備え、前記ガンマ補正回路部から出力された３原色信号により前記ディスプレイ装置を表示駆動することを特徴とするテレビジョン受信機。
【請求項２】
前記ガンマ補正回路部の前記２原色信号のガンマ補正特性は、ホワイトバランスのずれが許容量以上になる前記ディスプレイ装置の表示画面の個所毎に個別に微調整して設定された特性であることを特徴とする請求項１記載のテレビジョン受信機。
【請求項３】
液晶表示パネル、プラズマ表示パネル等の薄型表示パネルのディスプレイ装置を備えたテレビジョン受信機のホワイトバランス調整方法において、映像信号処理部ブロックの終段に設けたガンマ補正回路部の３原色信号のガンマ補正特性をそれぞれの基準補正特性に設定した状態で、前記映像信号処理部ブロックのカラーマトリックス回路部から出力された表示画像の３原色信号が入力されるパネル信号処理部のホワイトバランスに関連する振幅調整、直流レベル調整等の信号レベル調整の特性を設定し、前記信号レベル調整の特性を含む前記映像信号処理部ブロックの各部の信号処理特性の設定後、前記ディスプレイ装置の表示画面のホワイトバランスの状態を測定しながら、前記ガンマ補正回路部の赤、青の２原色信号のガンマ補正特性を、赤、青それぞれの前記基準補正特性からワイトバランスのずれを修正するように微調整して設定し、前記パネル信号処理部の前記レベル調整及び前記ガンマ補正回路部のガンマ補正により、前記ガンマ補正回路部から出力されて前記ディスプレイ装置を表示駆動する３原色信号のホワイトバランスを調整することを特徴とするテレビジョン受信機のホワイトバランス調整方法。
【請求項４】
前記ガンマ補正回路部の前記２原色信号のガンマ補正特性の微調整は、前記ディスプレイ装置の表示画面のホワイトバランスのずれが許容量以上になる個所毎に個別に行なわれることを特徴とする請求項３記載のテレビジョン受信機のホワイトバランス調整方法。
【発明の詳細な説明】
【技術分野】
【０００１】
本発明は、液晶表示パネル、プラズマ表示パネル等の薄型表示パネルのディスプレイ装置を備えたテレビジョン受信機及びそのホワイトバランス調整方法に関し、詳しくは、ホワイトバランスの調整ずれの防止に関する。
【背景技術】
【０００２】
従来、液晶表示パネル、プラズマ表示パネル等の薄型表示パネルのディスプレイ装置を備えたテレビジョン受信機においては、テレビ放送の受信信号から再生された受信ビデオ信号や外部入力ビデオ信号を、デジタルの映像信号処理部ブロックを通して前記ディスプレイ装置に画面表示する。
【０００３】
そして、前記映像信号処理部ブロックにおいては、前記受信ビデオ信号や前記外部入力ビデオ信号につき、必要に応じてＡ／Ｄ変換、ＹＣ分離を施した後、自動輝度レベル調整（ＡＢＬ）、自動カラーレベル調整（ＡＣＬ）、走査変換等を施す。
【０００４】
その後、カラーマトリックス回路部のカラーマトリックス処理によってデジタルのＲＧＢの３原色信号に変換し、カラーマトリックス回路部の後段のパネル信号処理部等により前記３原色信号に振幅調整（信号増幅）、ペデスタルクランプ、コントラスト調整、ディザ補正、ティント（色合い）補正等の各種の調整、補正を施し、これらの調整、補正等を施した３原色信号を前記ディスプレイ装置に表示駆動信号として供給する。
【０００５】
その際、パネル信号処理部は３原色信号の振幅調整、ペデスタルクランプの直流レベル調整（カットオフレベル調整）、コントラスト調整等のホワイトバランスに関連するレベル調整を行ってホワイトバランスを自動調整する（例えば、特許文献１参照）。
【０００６】
又、ディスプレイ装置のパネルやバックライトの特性に起因したガンマ特性の補正は、従来、前記ホワイトバランスの調整前又は調整後の３原色信号を、それぞれの設定された基準補正特性（例えば明るさの階調変化に対する所定の折れ線近似特性）でガンマ補正して行なわれる（例えば、特許文献２参照）。
【特許文献１】特開２００５−１９１６１８号公報（段落［０００７］−［０００８］、［００１７］、図１等）
【特許文献２】特開２００３−１２２３３０号公報（段落［０００４］−［０００８］、［００１９］、図１等）
【発明の開示】
【発明が解決しようとする課題】
【０００７】
前記従来のテレビジョン受信機の場合、例えば製造時の調整工程において、パネル信号処理部は、振幅調整、直流レベル調整、コントラスト調整等の信号レベル調整の特性が、ディスプレイ装置の画面が基準の明るさの階調状態でホワイトバランスがとれるように調整して設定される。
【０００８】
又、前記調整工程等において、前記パネル信号処理部の後段回路部でのディザ補正、ティント補正等の他の調整や補正の信号処理特性の設定も併せて行なわれる。
【０００９】
一方、３原色信号の前記ガンマ補正特性は、映像信号処理部ブロックの前記パネル信号処理部内又はその後段に設けられたガンマ補正回路部により、ホワイトバランスに関連した前記信号レベル調整の特性設定等とは別個独立に、予め設定された３原色信号それぞれの前記基準補正特性に設定される。
【００１０】
この場合、パネル信号処理部のカラーマトリックス回路部から出力された３原色信号は、基準補正特性に固定されたガンマ補正と信号処理部の設定された前記レベル調整とによってホワイトバランスの調整が施されるが、前記レベル調整の後、映像信号処理部ブロックの前記他の調整や補正の信号処理が施されることによってホワイトバランスのずれが生じ、ディスプレイ装置の画面の明るさの階調状態によっては、ホワイトバランスが許容範囲から外れて画面が見苦しくなり、画面表示性能が損なわれる問題がある。
【００１１】
又、ディスプレイ装置が大画面になると、パネルの特性やバックライトの特性等に基づき、いわゆるガンマ特性を画面全体にわたって均一な特性にすることは困難である。そのため、とくに大画面のディスプレイ装置を備える場合には、画面全体の３原色信号のガンマ補正特性を基準補正特性に設定してディスプレイ装置の画面全体の良好なホワイトバランスをとることが困難である。
【００１２】
そして、大画面のディスプレイ装置を備える場合、前記レベル調整が施された３原色信号のホワイトバランスが映像信号処理部ブロックの他の調整や補正の信号処理でずれる上、ディスプレイ装置のガンマ特性が画面位置によって異なるため、ディスプレイ装置の表示画面のホワイトバランスのずれがより目立つようになる。
【００１３】
本発明は、液晶表示パネル、プラズマ表示パネル等の薄型表示パネルのディスプレイ装置を備えたテレビジョン受信機において、簡単な構成及び調整で映像信号処理部ブロックの各種の調整、補正の信号処理に起因したホワイトバランスのずれを防止して画面表示性能を向上することを目的とし、更には、ディスプレイ装置の画面位置に依存したホワイトバランスのずれも防止して画面表示性能を一層向上することを目的とする。
【課題を解決するための手段】
【００１４】
上記した目的を達成するために、本発明のテレビジョン受信機は、液晶表示パネル、プラズマ表示パネル等の薄型表示パネルのディスプレイ装置を備えたテレビジョン受信機において、映像信号処理部ブロックに設けられ、表示画像の３原色信号を出力するカラーマトリックス回路部と、前記カラーマトリックス回路部の後段に設けられ、基準補正特性のガンマ補正でホワイトバランスがとれるようにホワイトバランスに関連する振幅調整、直流レベル調整等の信号レベル調整の特性が設定され、入力された３原色信号に設定された前記信号レベル調整を施すパネル信号処理部と、前記映像信号処理ブロックの終段に設けられ、入力された３原色信号のうちの緑の原色信号のガンマ補正特性が緑の前記基準補正特性に設定され、残りの赤、青の２原色信号のガンマ補正特性が前記信号レベル調整の特性設定を含む前記映像信号処理部ブロックの各種の信号処理特性の設定に伴うホワイトバランスのずれを修正するように赤、青それぞれの前記基準補正特性から微調整した補正特性に設定され、入力された３原色信号をそれぞれの設定されたガンマ補正特性でガンマ補正するガンマ補正回路部とを備え、前記ガンマ補正回路部から出力された３原色信号により前記ディスプレイ装置を表示駆動することを特徴としている（請求項１）。
【００１５】
又、本発明のテレビジョン受信機における前記ガンマ補正回路部の前記２原色信号のガンマ補正特性は、ホワイトバランスのずれが許容量以上になる前記ディスプレイ装置の表示画面の個所毎に個別に微調整して設定された特性であることを特徴としている（請求項２）。
【００１６】
次に、本発明のテレビジョン受信機のホワイトバランス調整方法は、液晶表示パネル、プラズマ表示パネル等の薄型表示パネルのディスプレイ装置を備えたテレビジョン受信機のホワイトバランス調整方法において、映像信号処理部ブロックの終段に設けたガンマ補正回路部の３原色信号のガンマ補正特性をそれぞれの基準補正特性に設定した状態で、前記映像信号処理部ブロックのカラーマトリックス回路部から出力された表示画像の３原色信号が入力されるパネル信号処理部のホワイトバランスに関連する振幅調整、直流レベル調整等の信号レベル調整の特性を設定し、前記信号レベル調整の特性を含む前記映像信号処理部ブロックの各部の信号処理特性の設定後、前記ディスプレイ装置の表示画面のホワイトバランスの状態を測定しながら、前記ガンマ補正回路部の赤、青の２原色信号のガンマ補正特性を、赤、青それぞれの前記基準補正特性からワイトバランスのずれを修正するように微調整して設定し、前記パネル信号処理部の前記レベル調整及び前記ガンマ補正回路部のガンマ補正により、前記ガンマ補正回路部から出力されて前記ディスプレイ装置を表示駆動する３原色信号のホワイトバランスを調整することを特徴としている（請求項３）。
【００１７】
又、本発明のテレビジョン受信機のホワイトバランス調整方法における前記ガンマ補正回路部の前記２原色信号のガンマ補正特性の微調整は、前記ディスプレイ装置の表示画面のホワイトバランスのずれが許容量以上になる個所毎に個別に行なわれることを特徴としている（請求項４）。
【発明の効果】
【００１８】
請求項１、３の発明によれば、映像信号処理ブロックのカラーマトリックス回路部の後段に設けられたパネル信号処理部の振幅調整、直流レベル調整等の信号レベル調整の特性が、前記映像信号処理ブロックの終段に設けられたガンマ補正回路部が３原色信号をそれぞれの基準補正特性でガンマ補正する状態でホワイトバランスがとれるように設定され、該設定に基づき、カラーマトリックス回路部から出力された表示画像の３原色信号にホワイトバランスのいわゆる粗調整が施される。
【００１９】
更に、前記映像信号処理ブロックの終段に設けられたガンマ補正回路部において、表示画像の３原色信号のうちの画面の明るさに対する影響が少ない赤、青の２原色信号のガンマ補正特性が、映像信号処理部ブロックの各種の信号処理に基づくホワイトバランスのずれを修正するようにそれぞれの前記基準補正特性から微調整して設定された補正特性に設定される。
【００２０】
そして、前記ガンマ補正回路部により、前記ホワイトバランスの粗調整が施された表示画像の３原色信号のうちの画面の明るさに対する影響が大きい緑の原色信号にはその基準補正特性でガンマ補正が施され、前記ホワイトバランスの粗調整が施された表示画像の３原色信号のうちの画面の明るさに対する影響が少ない赤、青の２原色信号には、映像信号処理部ブロックの各種の信号処理に基づくホワイトバランスのずれを修正するようにそれぞれの基準補正特性から微調整して設定されたガンマ補正特性でガンマ補正が施され、前記粗調整が施された表示画像の３原色信号にホワイトバランスのいわゆる微調整が施される。
【００２１】
そして、ホワイトバランスの前記粗調整と前記微調整とが施された表示画像の３原色信号により、ディスプレイ装置が表示駆動される。
【００２２】
この場合、パネル信号処理部の信号レベル調整で粗調整された表示画像の３原色信号のホワイトバランスが映像信号処理部ブロックの他の回路部の調整、補正によってずれても、映像信号処理ブロックの終段のガンマ補正回路部の赤、青の２原色信号のガンマ補正によってそのずれが補正される。尚、明るさを左右する緑の原色信号は前記基準補正特性でガンマ補正されるため、ガンマ補正回路部から出力されたガンマ補正後の３原色信号は、ガンマ補正前と明るさの階調特性はほとんど変らない。
【００２３】
そのため、ディスプレイ装置はホワイトバランスのずれを防止した表示画像の３原色信号で表示駆動され、明るさの階調変化が生じてもホワイトバランスが許容範囲から外れることがなく、画面表示性能が著しく向上する。
【００２４】
したがって、液晶表示パネル、プラズマ表示パネル等の薄型表示パネルのディスプレイ装置を備えたテレビジョン受信機において、映像信号処理ブロックの終段にガンマ補正回路部を設け、その赤、青の２原色信号のガンマ補正の特性をそれぞれの基準補正特性から微調整する簡単な構成及び調整により、映像信号処理部ブロックの各種の調整、補正の信号処理に起因したディスプレイ装置の表示画面のホワイトバランスのずれを防止し、その画面表示性能を向上することができる。
【００２５】
又、請求項２、４の発明によれば、前記ガンマ補正回路部の赤、青の２原色信号のガンマ補正特性が、ホワイトバランスのずれが許容量以上になるディスプレイ装置の表示画面の個所毎に個別に微調整して設定されるため、とくにディスプレイ装置が大画面であってそのガンマ特性が画面全体にわたって均一な特性でない場合等に、画面位置によるホワイトバランスのずれも併せて防止することができ、この種のテレビジョン受信機の画面表示性能を一層向上することができる。
【発明を実施するための最良の形態】
【００２６】
次に、本発明をより詳細に説明するため、その一実施形態について、図１〜図３にしたがって詳述する。
【００２７】
図１はテレビジョン受信機１のブロック構成を示し、図２はガンマ補正特性の設定装置例を示す。図３はガンマ補正特性の設定方法の説明図であり、（ａ）は選択可能なガンマ補正特性例を示し、（ｂ）は画面の明るさの階調変化例を示し、（ｃ）はガンマ補正特性の選択例を示す。
【００２８】
（テレビジョン受信機１の構成及び動作）
図１のテレビジョン受信機１は、例えばわが国のアナログテレビ放送とデジタルテレビ放送（地上デジタル放送、ＢＳデジタル放送、ＣＳデジタル放送等）を受信表示可能であり、又、図示省略した外部入力端子部に入力された外部入力のアナログ、デジタルのビデオ信号（外部入力ビデオ信号）も表示可能である。
【００２９】
そして、ユーザの選局操作或いはタイマ予約設定にしたがってアナログテレビ放送を受信して画面表示する場合は、受信チャンネルのアナログテレビ放送の受信信号が受信復調処理部２に入力され、受信復調処理部２の周知のＮＴＳＣ方式の受信復調処理により、受信チャンネルのアナログのコンポジット信号（受信ビデオ信号）が再構成される。
【００３０】
このアナログのコンポジット信号は、映像信号処理ブロック３のＡ／Ｄ変換部４によりデジタル信号に変換され、ＹＣ分離部５によりデジタルの輝度信号Ｙと色信号Ｃとに分離される。尚、色信号Ｃは周知の２種類の色差信号である。
【００３１】
又、ＹＣ分離部５のコンポジット信号は同期分離部６にも送られ、同期分離部６はコンポジット信号から同期信号を分離抽出してテレビジョン受信機１の動作を制御するマイクロコンピュータ構成の制御部７に再生タイミング等の基準信号として送る。
【００３２】
更に、ＹＣ分離部５の輝度信号Ｙ、色信号ＣはＹＣ制限回路部８に入力されてデジタルの自動輝度レベル調整（ＡＢＬ）、自動カラーレベル調整（ＡＣＬ）が施され、その後、ノイズリダクション（ＮＲ）回路部９を通って走査変換部１０に送られ、この走査変換部１０によってインタレース走査（ｉ）からプログレッシブ走査（ｐ）に走査変換される。
【００３３】
次に、プログレッシブ走査に変換された輝度信号Ｙ、色信号Ｃは走査変換部１０から画質・画角補正部１１に送られ、例えばリサイズの画角補正やシャープネスの画質補正が施された後、カラーマトリックス回路部１２に送られ、該カラーマトリックス回路部１２の周知のマトリックス処理によって赤（Ｒ）、緑（Ｇ）、青（Ｂ）の３原色信号（以下、３原色信号をＲＧＢ信号という）に変換される。
【００３４】
そして、ＲＧＢ信号はカラーマトリックス回路部１２の次段（後段）のパネル信号処理部１３に送られる。該パネル信号処理部１３は、信号ゲインや直流クランプレベル等の設定された特性で、ＲＧＢ信号に周知の振幅調整、直流レベル調整（ペレスタルクランプ調整）、コントラスト調整等の信号レベル調整を施す。
【００３５】
このとき、ＲＧＢ信号は原色信号別に設定された特性でそれぞれの信号レベルが調整され、該調整によってホワイトバランスのいわゆる粗調整が施される。尚、従来のホワイトバランスの調整はこの粗調整のみであった。
【００３６】
更に、パネル信号処理部１３を通ったＲＧＢ信号は色合い補正部１４に入力され、該色合い補正部１４は、設定された信号処理特性でＲＧＢ信号にティント（色合い）補正、ディザ補正等の他の各種の調整、補正を施す。
【００３７】
そして、色合い補正部１４を通ったＲＧＢ信号は、映像信号処理ブロック３の終段に設けられたガンマ補正回路部１５に入力され、該ガンマ補正回路部１５は不揮発性メモリの補正データ記憶部１６に保持された３原色別の補正データに基づき、ＲＧＢの３原色それぞれのガンマ補正特性で入力されたＲＧＢ信号に信号別にガンマ補正を施す。
【００３８】
このとき、画面の明るさを左右する緑の原色信号（以下、Ｇ信号という）は、後述するディスプレイ装置１７の特性規格等に基づいて設定された従来と同様のＧ信号の基準補正特性でガンマ補正されるが、画面の明るさに対する影響が少ない赤、青の２原色信号（以下、赤の原色信号をＲ信号、青の原色信号をＢ信号という）は、映像信号処理部ブロック３の各部の信号処理特性の設定に基づくホワイトバランスのずれを修正するようにＲ信号、Ｂ信号の基準補正特性から微調整して設定されたそれぞれのガンマ補正特性でガンマ補正される。そして、Ｒ信号、Ｂ信号のガンマ補正により、ガンマ補正回路部１５を通ったＲＧＢ信号はホワイトバランスの前記ずれを修正する微調整が施される。
【００３９】
そして、ガンマ補正回路部１５でガンマ補正されたＲＧＢ信号が、図示省略した表示駆動部を介して液晶表示パネル（ＬＣＤ）、プラズマ表示パネル（ＰＤＰ）等の薄型表示パネルのディスプレイ装置１７に表示駆動信号として供給され、該表示駆動信号により、受信したアナログテレビ放送の表示画像がディスプレイ装置１７に画面表示される。
【００４０】
次に、ユーザの選局操作或いはタイマ予約設定にしたがってデジタルテレビ放送を受信して画面表示する場合は、受信チャンネルのデジタルテレビ放送の受信信号が受信復調処理部２に入力され、受信復調処理部２に内蔵されたＴＳデコーダの周知のデジタルテレビ放送の受信復調処理により、受信チャンネルのデジタル信号が形成され、そのデジタル信号の受信ビデオ信号として再構成された輝度信号（Ｙ信号）と色信号（Ｃ信号）がＹＣ制限回路部８に入力され、同期信号は同期分離部６に入力される。
【００４１】
そして、映像信号処理ブロック３のＹＣ制限回路部８乃至ガンマ補正回路部１５により、上述のアナログテレビ放送を受信して画面表示する場合と同様の信号処理が施され、ガンマ補正回路部１５を通ったＲＧＢ信号の表示駆動により、受信したデジタルテレビ放送の表示画像がディスプレイ装置１７に画面表示される。
【００４２】
このとき、受信したデジタルテレビ放送のＲＧＢ信号は、パネル信号処理部１３の信号レベル調整によってホワイトバランスの粗調整が施され、ガンマ補正回路部１５のＲ信号、Ｂ信号のガンマ補正によってホワイトバランスの微調整が施される。
【００４３】
次に、アナログのコンポジットの外部入力ビデオ信号を画面表示する場合は、その外部入力ビデオ信号がＡ／Ｄ変換部４に入力され、映像信号処理ブロック３のＡ／Ｄ変換部４乃至ガンマ補正回路部１５により、外部入力ビデオ信号に上述のアナログテレビ放送を受信して画面表示する場合と同じ信号処理が施され、ガンマ補正回路部１５を通ったＲＧＢ信号の表示駆動により、アナログの外部入力ビデオ信号の表示画像がディスプレイ装置１７に画面表示される。
【００４４】
又、デジタルの外部入力ビデオ信号を画面表示する場合は、その外部入力ビデオ信号が受信復調処理部２の前記ＴＳデコーダで復調処理され、映像信号処理ブロック３のＹＣ制限回路部８乃至ガンマ補正回路部１５により、外部入力ビデオ信号に上述のデジタルテレビ放送を受信して画面表示する場合と同じ信号処理が施され、ガンマ補正回路部１５を通ったＲＧＢ信号の表示駆動により、デジタルの外部入力ビデオ信号の表示画像がディスプレイ装置１７に画面表示される。
【００４５】
そして、アナログ及びデジタルの外部入力ビデオ信号の画面表示においても、パネル信号処理部１３の信号レベル調整によってホワイトバランスの粗調整が施され、ガンマ補正回路部１５のＲ信号、Ｂ信号のガンマ補正によってホワイトバランスの微調整が施される。
【００４６】
（テレビジョン受信機１のホワイトバランス調整の設定）
つぎに、上述したパネル信号処理部１３の信号レベル調整によるホワイトバランスの粗調整、ガンマ補正回路部１５のＲ信号、Ｂ信号のガンマ補正によるホワイトバランスの微調整の設定について説明する。
【００４７】
まず、上述したパネル信号処理部１３の信号レベル調整によるホワイトバランスの粗調整は、例えばテレビジョン受信機１の製造時の調整工程において、パネル信号処理部１３のホワイトバランスに関連する振幅調整、直流レベル調整（ペレスタルクランプ調整）、コントラスト調整等の信号レベル調整の特性を、ＲＧＢ信号を前記基準補正特性でガンマ補正するものとして設定される。
【００４８】
具体的には、ＲＧＢ信号に従来と同じようにそれぞれの基準補正特性でガンマ補正が施されるものとして、パネル信号処理部１３の前記信号レベル調整の特性が従来と同様の規定の特性に予め設定され、前記調整工程において、パネル信号処理部１３は従来と同様に電圧等を測定しながら各部の信号レベルが規定レベルになるように調整されて前記信号レベル調整の特性が設定され、この設定によってホワイトバランスの粗調整の設定が行なわれる。
【００４９】
つぎに、ガンマ補正回路部１５によるホワイトバランスの微調整の設定について説明する。
【００５０】
前記テレビジョン受信機１の製造時の調整工程において、前記信号レベル調整の設定等が行なわれる前に、ＲＧＢ信号のガンマ補正特性の補正データとして、設計等の段階で予め設定されたそれぞれの基準補正特性の補正データが補正データ記憶部１６に書き込まれて保持される。そのため、前記信号レベル調整の設定等の際には、ガンマ補正回路部１５がＲＧＢ信号を基準補正特性でガンマ補正するように初期設定される。
【００５１】
そして、前記信号レベル調整の設定後、色合い補正部１４のティント補正、ディザ補正等の他の各種の調整、補正の特性が調整されて設定された後、映像信号処理ブロック３の最後の調整の設定として、ガンマ補正回路部１５のＲ信号、Ｂ信号のガンマ補正特性の修正、すなわち補正データ記憶部１６のＲ信号、Ｂ信号の補正データの修正が行なわれる。
【００５２】
この修正は、例えば図２に示す装置構成で行なわれ、調整対象のテレビジョン受信機１のディスプレイ装置１７の表示画面に受光センサ１８を対向した状態に設け、同テレビジョン受信機１に多階調カラーの所定のテストパターンの外部ビデオ信号が入力される。
【００５３】
そして、受光センサ１８の明るさの検出信号がカラーアナライザ１９に入力され、該カラーアナライザ１９は前記検出信号からＲ、Ｇ、Ｂの別の明るさを認識し、それらの認識データをコンピュータ構成の検査処理装置２０に送る。
【００５４】
該検査処理装置２０は、例えば装置内のデータベース部にＲ信号、Ｂ信号それぞれの図３（ａ）に示す実線、破線の複数種類（例えば６０種類）のガンマ補正特性のデータテーブルを保持し、Ｒ信号、Ｂ信号の補正データの修正時、設定されたガンマ補正の自動調整プログラムを実行する。尚、図３（ａ）の実線がγ＝１．０の補正特性である。又、基準補正特性は例えばγ＝２．２のガンマ補正特性である。
【００５５】
そして、前記自動調整プログロムの実行により、検査処理装置２０はカラーアナライザ１９のＲ、Ｇ、Ｂの別の認識データに基づいて、Ｒ、Ｂそれぞれの最適な補正特性の補正データを前記データテーブルから選定し、補正データ記憶部１６のＲ信号、Ｂ信号の補正データを選定した補正データに書き換えて修正する。
【００５６】
具体的には、前記基準補正特性の状態でディスプレイ装置１７の輝度、コントラストを、設定した低（Ｘ）、高（Ｙ）の二段階の明るさの状態に切り替え、低（Ｘ）、高（Ｙ）の明るさそれぞれにおいて、Ｒ、Ｂそれぞれの明るさの階調変化を測定し、例えば図３（ｂ）の破線に示すように、実線の目標の明るさから増減する実測の特性を得る。
【００５７】
そして、Ｒ、Ｂ毎に、低（Ｘ）、高（Ｙ）の明るさそれぞれについて、例えば図３（ｃ）の各矢印線に示す設定ポイントの破線の実測の明るさが実線の目標の明るさに近づく最適な補正特性を選択することを設定回数くり返し、最終的に低（Ｘ）、高（Ｙ）両方に最適な補正特性を決定して当該補正特性の補正データに書き換える。
【００５８】
このとき、Ｒ信号、Ｂ信号の補正データの修正により、前記レベル調整の後、映像信号処理部ブロック３の前記他の調整や補正の信号処理に基づくホワイトバランスのずれが修正されるように、Ｒ信号、Ｂ信号のガンマ補正特性がそれぞれの基準補正特性から微調整した補正特性に修正されて設定される。尚、Ｇ信号のガンマ補正特性は基準補正特性に保持されるため、微調整後のガンマ補正によっては明るさの階調特性はほとんど変化しない、換言すれば、明るさの階調特性が設計された所期の特性からずれることはない。そして、前記微調整によってディスプレイ装置１７の特性の個別のばらつきに基づく明るさの階調変化のばらつきが抑制される利点もある。
【００５９】
以上のホワイトバランスの粗調整と微調整の設定が行われることにより、前記調整工程を経たテレビジョン受信機１は、ホワイトバランスの前記粗調整と微調整とが施された表示画像の３原色信号によってディスプレイ装置１７が表示駆動される。
【００６０】
そして、パネル信号処理部１３の信号レベル調整で粗調整された表示画像の３原色信号のホワイトバランスが映像信号処理部ブロック３の他の回路部の調整、補正によってずれても、映像信号処理ブロック３の終段のガンマ補正回路部１５のＲ信号、Ｂ信号のガンマ補正によってそのずれが補正されるため、ディスプレイ装置１７はホワイトバランスのずれを防止したＲＧＢ信号で表示駆動され、明るさの階調変化が生じてもホワイトバランスが許容範囲から外れることがなく、画面表示性能が著しく向上する。
【００６１】
ところで、とくにディスプレイ装置１７がとくに３０インチ超の大画面の場合は、パネルの特性やバックライトの特性等に基づき、いわゆるガンマ特性を画面全体にわたって均一な特性にすることは容易でなく、その不均一によってもホワイトバランスがずれる。
【００６２】
そこで、テレビジョン受信機１が大画面のディスプレイ装置１７を備える場合は、Ｒ信号、Ｂ信号のガンマ補正特性の修正を、表示画面を分割した領域毎に行ない、ディスプレイ装置１７の表示画面のホワイトバランスのずれが許容量以上になる個所毎に個別にホワイトバランスの微調整の設定を行なう。
【００６３】
具体的には、ディスプレイ装置１７の表示画面を適当な行列数のマトリックス状に分割し、分割した領域毎にＲＧＢ信号のガンマ補正特性の補正データを設定する。
【００６４】
そして、最初に各領域のＲＧＢ信号の補正データは基準補正特性のデータに設定し、前記のＲ信号、Ｂ信号の補正特性の修正時に、領域毎に基準補正特性でのホワイトバランスのずれを検出し、このずれが設定した許容量以上になる領域について、上記したようにしてＲ信号、Ｂ信号の補正データを修正し、ディスプレイ装置１７の表示画面のホワイトバランスのずれが許容量以上になる個所毎に個別にホワイトバランスの微調整の設定を施す。
【００６５】
このようにすることにより、とくにディスプレイ装置１７が大画面であってそのガンマ特性が画面全体にわたって均一な特性でない場合等に、画面位置によるホワイトバランスのずれも併せて防止することができ、テレビジョン受信機１の画面表示性能を一層向上することができる。
【００６６】
そして、本発明は上述した実施形態に限定されるものではなく、その趣旨を逸脱しない範囲において上述したもの以外に種々の変更を行うことが可能であり、例えば、映像信号処理ブロック３は、カラーマトリックス回路部１２の後段にパネル信号処理部１３があり、終段のガンマ補正回路部１５が設けられていれば、どのような構成であってもよい。
【００６７】
又、ガンマ補正回路部１５のガンマ補正特性の設定は、例えば近似特性の式のデータを保持して行なうものであってもよく、その他どのような手法で行なうものであってもよい。
【００６８】
そして、本発明は、液晶表示パネル、プラズマ表示パネル等の種々の薄型表示パネルのディスプレイ装置を備えたテレビジョン受信機のホワイトバランス調整に適用することができる。
【図面の簡単な説明】
【００６９】
【図１】本発明の一実施形態におけるテレビジョン受信機の要部の回路ブロック図である。
【図２】同上、テレビジョン受信機のガンマ補正特性の微調整を行なう装置構成の一例の説明図である。
【図３】同上、テレビジョン受信機のガンマ補正特性の微調整説明用の特性図である。
【符号の説明】
【００７０】
３    映像信号処理ブロック
１２    カラーマトリックス回路部
１５    ガンマ補正回路部
１６    補正データ記憶部
１７    ディスプレイ装置
【図１】
2008211296.tif 000003
【図２】
2008211296.tif 000004
【図３】
2008211296.tif 000005